(57)【特許請求の範囲】
【請求項１】
根太水路を有する複数の根太と、
前記各根太の間に架設された複数かつ略四角形の床パネルと、を備え、
前記根太水路は前記床パネル間に形成される隙間から滴下する水を排水する床構造において、
前記根太上に設けられ前記床パネルを着脱自在に係止することにより、前記床パネルを位置決めして保持するパネル固定具を備え、
前記床パネル又は前記パネル固定具は、いずれか一方に係止用突起を有するとともにいずれか他方にこの係止用突起が嵌まる係止用長円孔を有し、
前記係止用突起は、その径寸法が、前記係止用長円孔の幅寸法よりも僅かに小さく形成され、
前記長円孔は、その長手方向の延長線が、隣接する床パネルに対応する長円孔の長手方向の延長線と略直交するように設けられ、
前記パネル固定具は、前記床パネルにおける角部を前記係止用突起及びこの係止用突起が嵌まる前記係止用長円孔を用いて係止することを特徴とする床構造。
【請求項２】
前記複数の床パネルの角部は面取りがされており、これら複数の床パネルの面取りによって囲繞される領域内に、前記パネル固定具が取り付けられていることを特徴する請求項１に記載の床構造。
【発明の詳細な説明】
【技術分野】
【０００１】
本発明は、床構造に関する。
【背景技術】
【０００２】
この種の床構造は、各種のものが知られている（例えば、特許文献１参照。）。特許文献１の床構造は、内部に水通路を有する大引上に樋形状をなす根太を複数並べて載置し、さらに端部がこの根太の上方に位置するように根太間に架設・位置決めされた矩形の床パネルを備えている。また、洗浄に伴って床パネル上に散水された水は、床パネルの端部から樋形状をなす根太に滴り落ち、根太内に滴り落ちた水は、根太内の根太水路を通じて大引内部の大引き水路に流れ込み、大引に設けられる排水口を通じて外部に排水される。
【特許文献１】特開２００２−２２７３７８号公報
【発明の開示】
【発明が解決しようとする課題】
【０００３】
しかしながら、従来の床構造は、多数の床パネルを並べる際に、床パネル間に水を落下させる隙間を一定寸法で設けるため、いちいち隙間を測定しながら床パネルを並べていたので、作業が面倒で施工工数が増大するという問題があった。
【０００４】
本発明は、このような技術的背景に鑑みなされたものであり、多数の床パネルを並べる際に床パネルを簡単に位置決めでき、これにより施工工数の低減を図ることができる床構造を提供することを技術的課題とする。
【課題を解決するための手段】
【０００５】
本発明は前記課題を解決するために、以下の手段を採用した。
すなわち、本発明は、根太水路を有する複数の根太と、前記各根太の間に架設された複数かつ略四角形の床パネルと、を備え、前記根太水路は前記床パネル間に形成される隙間から滴下する水を排水する床構造において、前記根太上に設けられ前記床パネルを着脱自在に係止することにより、前記床パネルを位置決めして保持するパネル固定具を備え、前
記床パネル又は前記パネル固定具は、いずれか一方に係止用突起を有するとともにいずれか他方にこの係止用突起が嵌まる係止用長円孔を有し、前記係止用突起は、その径寸法が、前記係止用長円孔の幅寸法よりも僅かに小さく形成され、前記長円孔は、その長手方向の延長線が、隣接する床パネルに対応する長円孔の長手方向の延長線と略直交するように設けられ、前記パネル固定具は、前記床パネルにおける角部を前記係止用突起及びこの係止用突起が嵌まる前記係止用長円孔を用いて係止することを特徴とする。
【０００６】
本発明によれば、パネル固定具に床パネルを係止させるだけで床パネルを位置決めして保持できるので、床パネルの取り付け作業が容易になる。これにより、施工工数を低減できる。
【０００７】
前記複数の床パネルの角部は面取りがされており、これら複数の床パネルの面取りによって囲繞される領域内に、前記パネル固定具が取り付けられていることを特徴する。
【発明の効果】
【０００９】
本発明によれば、根太上にパネル固定具を取り付け、このパネル固定具に床パネルを係止させるだけで床パネルを位置決めして保持できるので、床パネルの取り付け作業が容易になり、施工工数を低減できる。
【発明を実施するための最良の形態】
【００１０】
以下、図面を参照して本発明を実施するための最良の形態（以下、実施形態という）に係る床構造について説明する。以下の実施形態の構成は例示であり、本発明は実施形態の構成に限定されない。
【００１１】
図１は、本実施形態の床構造１を示す。この床構造１は、排水経路（図示せず）に連通し長手方向に勾配を有する大引水路１０ａを有する大引１０（一個のみ図示）と、大引水路１０ａに連通する根太水路１１ａを有し、大引１０上に互いに間隔を開けて載置される複数の根太１１と、各根太１１の間に架設された複数の床パネル１２とを有している。根太水路１１ａは、床パネル１２から滴下する水を大引水路１０ａに排水するように構成されている。
【００１２】
また、この床構造１は、根太１１上に配置され床パネル１２を着脱自在に係止させることにより、床パネル１２を位置決めして保持するパネル固定具１３を備えている。なお、大引１０はなくても良い。この場合は、根太１１の根太水路１１ａを排水経路に連通させればよい。
【００１３】
次に、上記各構成要素について説明する。大引１０及び根太１１は一般的なものを使用できるので、その詳細な説明を省略する。床パネル１２は略四角形に形成され、その角部に比較的大きな面取り部１２ａが設けられている。
【００１４】
床パネル１２の面取り部１２ａには、図２に示すように、断面が略Ｌ字状の係止片２０が設けられている。この係止片２０の側方に突出する横辺部２１には、略長円形の係止孔２２が設けられている。
【００１５】
パネル固定具１３は、四角形のパネル載置部１５と、このパネル載置部１５の両側に設けられたＬ字形の脚部１６，１６とを有している。パネル載置部１５の上面１５ａには、円柱状の係止部１７が複数個、本実施形態では４個設けられている。また、パネル載置部１５の中心にはボルト孔１８が設けられている。各係止部１７はボルト孔１８の中心から等距離に配置されている。両側の脚部１６，１６は、根太１１の根太水路１１ａにおける上部側に設けられた段差部１１ｂ，１１ｂ間に挿入可能に形成されている。
【００１６】
次に、この床構造１の作用を説明する。床パネル１２を根太１１上に組み付ける場合は、図２に示すように、まず、根太１１の段差部１１ｂ，１１ｂ上にパネル固定具１３を配置し、その脚部１６をねじ２３等で段差部１１ｂ，１１ｂに固定する。このとき、パネル固定具１３は、図３に示すように、その上に載置される４個の床パネル１２における中心にボルト孔１８の中心が略一致するように配置する。なお、床パネル１２を配置すべき位置は予め定められている。
【００１７】
次に、パネル固定具１３のパネル載置部１５に床パネル１２の脚部２０を載置すると共に、脚部２０の係止孔２２をパネル固定具１３の係止部１７に嵌め込む。このときには、係止孔２２が長円状に形成されているので、係止孔２２に嵌め込む作業が容易になる。
【００１８】
次に、図４に示すように、パネル固定具１３のパネル載置部１５上における４個の床パネル１２間の隙間に、この隙間より僅かに小さなブロック２３を挿入し、ボルト２４でパネル載置部１５に固定する。これにより、ブロック２３の上面２３ａと床パネル１２の上面１２ｂとが略面一になる。次に、床パネル１２の上面１２ｂ及びブロック２３の上面２３ａに床仕上げ材２５を設ける。なお、隣接する床仕上げ材２５間には、水を排水するための隙間を設ける。
【００１９】
本実施形態の床構造１によれば、パネル固定具１３の係止部１７に床パネル１２の係止
孔２２を嵌め込むだけで、床パネル１２がパネル固定具１３に係止される。これにより、床パネル１２を簡単に位置決めして保持できる。従って、床パネル１２の取り付け施工工数を低減できる。また、構成を簡略化できる。また、一個のパネル固定具１３によって複数個、本実施形態では４個の床パネル１２を位置決めして保持できるので、パネル固定具１３の数を減らすことができる。
【００２０】
なお、上記実施形態では、パネル固定具１３に係止部１７を設け、床パネル１２に係止孔２２を設けたが、パネル固定具１３に係止孔２２を設け、床パネル１２に係止部１７を設けることができる。
【図面の簡単な説明】
【００２１】
【図１】実施形態に係る床構造を示す斜視図である。
【図２】実施形態に係るパネル固定具の係止部、及び床パネルの係止孔を示す斜視図である。
【図３】実施形態に係る床パネルをパネル固定具に係止した状態を示す上面図であり、図１のＡ矢視図である。
【図４】実施形態に係るパネル固定具、床パネル及びブロックの取付状態を示す図であり、図３のＢ−Ｂ断面図である。
【符号の説明】
【００２２】
１  床構造
１０  大引
１０ａ  大引水路
１１  根太
１１ａ  根太水路
１１ｂ，１１ｂ  段差部
１２  床パネル
１２ａ  面取り部
１２ｂ  床パネルの上面
１３  パネル固定具
１５  パネル載置部
１５ａ  パネル載置部の上面
１６  パネル固定具の脚部
１７  係止部
１８  ボルト孔
２０  係止片
２１  横辺部
２２ 係止孔
２３  ブロック
２３ａ  ブロックの上面
２４  ボルト
２５  床仕上げ材
【図１】
0005231040.tif 000002
【図２】
0005231040.tif 000003
【図３】
0005231040.tif 000004
【図４】
0005231040.tif 000005